(57)【特許請求の範囲】
【請求項１】
所定の温度範囲内で選択された温度に従って、所定の加熱手段が燃焼出力の制御を行う燃焼制御装置であって、
前記温度範囲を決定するための複数の温度を不揮発性メモリに記憶させ、前記複数の温度から必要な温度を選択することによって前記温度範囲を任意に変更可能としたことを特徴とする燃焼制御装置。
【発明の詳細な説明】
【０００１】
【発明の属する技術分野】
本発明は、所定の温度範囲内で選択された温度に従って所定の加熱手段が燃焼出力の制御を行う給湯器等の燃焼制御装置に関する。
【０００２】
【従来の技術】
例えば給湯器では、加熱手段としてのバーナによって熱交換器を通過する水を加熱し、湯を供給する。この時、選択された温度に従って出湯されるように、バーナへのガス供給路に設けられた比例弁の開度調整（燃焼出力の制御）がなされるが、この選択できる温度範囲は、予めマイコンのＲＯＭ等の記憶媒体に固定的に記憶されている。
【０００３】
【発明が解決しようとする課題】
しかし、選択できる温度範囲がこのように固定されていると、機種の違いや海外等の仕向地に合わせて温度範囲を変更したい場合には、プログラムから修正する必要が生じて余計な手間がかかる。かといって機種や仕向地ごとに温度範囲の異なるプログラムを製作するのは効率が悪く、コスト的に好ましくない。
【０００４】
そこで、請求項１に記載の発明は、選択できる温度範囲を簡単に変更可能として仕向地等による設定変更の要求に容易に対応でき、手間やコストの増加を抑制できる燃焼制御装置を提供することを目的としたものである。
【０００５】
【課題を解決するための手段】
上記目的を達成するために、請求項１に記載の発明は、前記温度範囲を決定するための複数の温度を不揮発性メモリに記憶させ、前記複数の温度から必要な温度を選択することによって前記温度範囲を任意に変更可能としたことを特徴とするものである。
【０００６】
【発明の実施の形態】
以下、本発明の実施の形態を図面に基づいて説明する。
図１は、燃焼制御装置としての給湯器１の概略図で、燃焼室２内には、熱交換器３を加熱するバーナユニット（以下「ユニット」という）４，４・・が備えられ、各ユニット４には、ガス管５から各ユニット４へ分岐する分岐管６，６・・が接続されている。又、各分岐管６には切替電磁弁７が、分岐前のガス管５には比例弁８と元電磁弁９とが夫々設けられている。一方、熱交換器３に通じる給水管１０には、水量センサ１２、入水温センサ１３が、出湯管１１には出湯温センサ１４が夫々設けられ、燃焼室２の下方には、燃焼用空気を供給するファン１５が備えられている。
１６はコントローラで、水量センサ１２による水量検出信号、入水温センサ１３による入水温度の検出信号、出湯温センサ１４による出湯温度の検出信号が夫々入力され、コントローラ１６は、検出された水量、入水温度、出湯温度から設定温度の出湯に必要な燃焼出力量を演算し、その演算結果に基づいて比例弁８の開度制御と切替電磁弁７の開閉による各ユニット４の燃焼制御とを実行すると共に、ファン１５の回転数を制御する。１７は各ユニット４ごとに設けられたフレームロッド、１８は点火電極である。
【０００７】
そして、図２は、コントローラ１６における制御ブロック図を示すもので、マイコン２０には、比例弁８の開度を制御する比例弁制御回路２１、ファン１５の回転数を制御するファン駆動回路２２、フレームロッド１７により各ユニット４の燃焼を検出する炎検出回路２３、点火電極１８を連続スパークさせる点火回路２４等の周知の回路が備えられる。
又、マイコン２０には、上記演算処理を実行するプログラム等を記憶させたＲＯＭ等のメモリの他、不揮発性メモリとしてＥＥＰＲＯＭ２５が設けられ、ここに給湯器１で選択可能な温度範囲のデータが記憶されている。このＥＥＰＲＯＭ２５へのデータの記憶は、例えば図３のように、各ステップ１，２，３・・ごとに対応する温度の数値を「３７」「３８」「３９」・・のように書き込んでおき、１ステップごとに書き込まれた温度が選択できる形式、又図４のように、使用頻度の高い４０℃〜４６℃を共通にして、その他で設定できる温度を１５ビット（Ｐはパリティ）で用意し、このうち「１」を選択、「０」を非選択としてビットを指定することで、指定した温度を選択可能とする形式、更に図５のように、テーブル(1) は３７℃から４５℃までの１℃ずつと５０℃、テーブル(2) は３８℃から４５℃までの１℃ずつと５０℃、６０℃、というように、温度範囲を設定した数種類のテーブルを用意しておき、選択した１のテーブルの温度範囲で設定温度を選択可能とする形式、等が可能である。但し、図３のステップごとの保存は、データ量が多くなり、図５のテーブルごとの保存はデータ量の多さに加えて全ての温度範囲のパターンを想定し得ないため、選択に制限が生じやすい。よって、データ量が少なく、選択の自由度も高い図４の形式が最も好ましい。
【０００８】
以上の如く構成された給湯器１においては、選択できる温度範囲は、ＥＥＰＲＯＭ２５に記憶されたデータにより設定されているので、この温度範囲内でユーザーは設定温度を選択できる。即ち、ここで選択される設定温度に従ってマイコン２０が必要な燃焼出力を演算し、その演算結果から比例弁８の開度制御と切替電磁弁７の開閉による各ユニット４の燃焼制御とを実行して燃焼段階を切り替えると共に、必要な燃焼量に応じて比例弁８への電流値とファン１５の回転数とを制御することになる。
そして、ＥＥＰＲＯＭ２５を採用したことで、温度範囲を変えたい場合は、ＥＥＰＲＯＭ２５のみにおいてデータを書き換えれば済む。即ち、図３の形式では各ステップごとに変更したい温度を書き換えれば良いし、図４の形式では各ビットごとに選択と非選択とのマークを変更すれば良いし、図５の形式では選択するテーブルを変更すれば良く、何れにしても書き換えは容易である。よって、機種や仕向地に合わせて器具が選択できる温度範囲を簡単に変更可能となって、マイコン側でプログラムの変更を行う必要がなくなり、作業に手間がかからず、コストアップも抑制されるのである。
【０００９】
尚、不揮発性メモリとしては、ＥＥＰＲＯＭに限らず、他のメモリを使用しても良いし、データの保存形式も上記形態に限定せず、他の形式を採用することは可能である。又、上記形態では給湯器に適用しているが、給湯器付風呂装置等の他の燃焼制御装置に採用することもできる。
【００１０】
【発明の効果】
請求項１に記載の発明によれば、温度範囲を決定するための複数の温度を不揮発性メモリに記憶させ、複数の温度から必要な温度を選択することによって温度範囲を任意に変更可能としたことで、機種や仕向地等による変更要求に合わせて器具が選択できる温度範囲を簡単に変更可能となる。よって、プログラムの変更の必要がなくなって作業に手間がかからず、コストアップも抑制される。
また、複数の温度から必要な温度を選択するだけで不揮発性メモリにおける温度範囲を変更することができるため、当該温度範囲の変更をより簡単且つ高い自由度で行うことができる。
【図面の簡単な説明】
【図１】給湯器の概略図である。
【図２】コントローラの制御ブロック図である。
【図３】温度範囲のデータの例を示す説明図である。
【図４】温度範囲のデータの例を示す説明図である。
【図５】温度範囲のデータの例を示す説明図である。
【符号の説明】
１・・給湯器、３・・熱交換器、４・・バーナユニット、８・・比例弁、１６・・コントローラ、２０・・マイコン、２５・・ＥＥＰＲＯＭ。
【図１】
0004106158.tif 000002
【図２】
0004106158.tif 000003
【図３】
0004106158.tif 000004
【図４】
0004106158.tif 000005
【図５】
0004106158.tif 000006